(57)【要約】  眼科用装置は、患者を載置するように構成された載置部材と、載置部材に載置された患者の眼球に対して、眼球の外科処置、治療処置、及び診断処置のうち少なくとも一つを含む一つ以上の処置を施すように構成された眼科機器とを具備する。この眼科用装置は、ユーザーからログインデータを受け取るように構成されたユーザーインターフェース機器と、ログインデータに基づいた、記憶されたユーザープロファイルデータにアクセスし、アクセスされたユーザープロファイルデータに従って、上記眼科用装置の一つ以上の設定可能なコンポーネントを設定するように構成された制御器とをさらに具備する。【選択図】  図１
2015527913.tif 000002
【特許請求の範囲】
【請求項１】
眼科用装置であって、
患者を載置するように構成された載置部材と、
前記載置部材に載置された患者の眼球に対して、眼球の外科処置、治療処置、及び診断処置のうち少なくとも一つを含む一つ以上の処置を施すように構成された眼科機器と、
ユーザーからログインデータを受け取るように構成されたユーザーインターフェース機器と、
前記ログインデータに基づいた、記憶されたユーザープロファイルデータにアクセスし、前記アクセスされたユーザープロファイルデータに従って、前記眼科用装置の一つ以上の設定可能なコンポーネントを設定するように構成された制御器と
を具備する装置。
【請求項２】
前記一つ以上の設定可能なコンポーネントは、照明機器を含み、前記制御器は、前記アクセスされたユーザープロファイルデータに従って、前記照明機器によって提供される照明光の明るさを調整するように構成されたものであることを特徴とする請求項１に記載の眼科用装置。
【請求項３】
前記一つ以上の設定可能なコンポーネントは、一つ以上の位置可変コンポーネントを含み、前記制御器は、前記アクセスされたユーザープロファイルデータに従って、前記一つ以上の位置可変コンポーネントのうち少なくとも一つの位置を調整するように構成されたものであることを特徴とする請求項１又は請求項２に記載の眼科用装置。
【請求項４】
前記位置は、水平位置、垂直位置、及び角度位置のうち少なくとも一つを含むものであることを特徴とする請求項３に記載の眼科用装置。
【請求項５】
前記一つ以上の位置可変コンポーネントは、前記載置部材を含み、前記載置部材は、前記載置部材の載置面の高さ、前記載置面の水平位置、及び前記載置面の傾きのうち少なくとも一つに関して可変であり、前記制御器は、前記アクセスされたユーザープロファイルデータに従って、前記載置面の高さ、水平位置、及び傾きのうち少なくとも一つを調整するように構成されたものであることを特徴とする請求項３に記載の眼科用装置。
【請求項６】
前記一つ以上の位置可変コンポーネントは、前記眼科機器の一つ以上の位置可変部材を含み、前記制御器は、前記アクセスされたユーザープロファイルデータに従って、前記一つ以上の位置可変部材のうち少なくとも一つの位置を調整するように構成されたものであることを特徴とする請求項３から請求項５のいずれか一項に記載の眼科用装置。
【請求項７】
前記眼科機器は、一対の接眼レンズを有する顕微鏡を備えたものであり、前記一対の接眼レンズのうち少なくとも一つは、前記一対の接眼レンズ間の相互距離を変更するように、他方の接眼レンズに対して位置が可変であり、前記制御器は、前記アクセスされたユーザープロファイルデータに従って、前記一対の接眼レンズ間の相互距離を調整するように構成されたものであることを特徴とする請求項６に記載の眼科用装置。
【請求項８】
前記眼科機器は、前記患者の眼球に向けて光学放射を放出するための放射放出ヘッドを備えたものであり、前記放射放出ヘッドは、高さが可変であり、前記制御器は、前記アクセスされたユーザープロファイルデータに従って、前記放射放出ヘッドの高さを調整するように構成されたものであることを特徴とする請求項６又は請求項７に記載の眼科用装置。
【請求項９】
前記放射放出ヘッドは、前記載置部材の載置面に対して高さが可変であり、前記制御器は、前記アクセスされたユーザープロファイルデータに従って、前記載置面に対する前記放射放出ヘッドの高さを調整するように構成されたものであることを特徴とする請求項８に記載の眼科用装置。
【請求項１０】
患者を載置するための載置部材と、前記載置部材に載置された患者の眼球に対して、眼球の外科処置、治療処置、及び診断処置のうち少なくとも一つを含む一つ以上の処置を施す眼科機器と、ユーザーインターフェース機器とを少なくとも含む眼科用装置を設定する方法であって、
前記ユーザーインターフェース機器上でユーザーからログインデータを受け取る工程と、
前記ログインデータに基づいた、記憶されたユーザープロファイルデータにアクセスする工程と、
前記アクセスされたユーザープロファイルデータに従って、前記眼科用装置の一つ以上の設定可能なコンポーネントを設定する工程とを含む方法。
【請求項１１】
前記一つ以上の設定可能なコンポーネントは、照明機器を含み、前記設定する工程は、前記アクセスされたユーザープロファイルデータに従って、前記照明機器によって提供される照明光の明るさを調整することを含むことを特徴とする請求項１０に記載の方法。
【請求項１２】
前記一つ以上の設定可能なコンポーネントは、一つ以上の位置可変コンポーネントを含み、前記設定する工程は、前記アクセスされたユーザープロファイルデータに従って、前記一つ以上の位置可変コンポーネントのうち少なくとも一つの位置を調整することを含むことを特徴とする請求項１０又は請求項１１に記載の方法。
【請求項１３】
前記一つ以上の位置可変コンポーネントは、前記載置部材を含み、前記載置部材は、前記載置部材の載置面の高さ、前記載置面の水平位置、及び前記載置面の傾きのうち少なくとも一つに関して可変であり、前記設定する工程は、前記アクセスされたユーザープロファイルデータに従って、前記載置面の高さ、水平位置、及び傾きのうち少なくとも一つを調整することを含むことを特徴とする請求項１２に記載の方法。
【請求項１４】
前記一つ以上の位置可変コンポーネントは、前記眼科機器の一つ以上の位置可変部材を含み、前記設定する工程は、前記アクセスされたユーザープロファイルデータに従って、前記一つ以上の位置可変部材のうち少なくとも一つの位置を調整することを含むことを特徴とする請求項１２又は請求項１３に記載の方法。
【請求項１５】
前記眼科機器は、前記患者の眼球に向けて光学放射を放出するための放射放出ヘッドを備えたものであり、前記放射放出ヘッドは、高さが可変であり、前記設定する工程は、前記アクセスされたユーザープロファイルデータに従って、前記放射放出ヘッドの高さを調整すること及び／又は前記アクセスされたユーザープロファイルデータに従って、前記載置部材の載置面に対する前記放射放出ヘッドの高さを調整することを含むことを特徴とする請求項１４に記載の方法。
【発明の詳細な説明】
【技術分野】
【０００１】
本発明は、少なくとも一つの設定可能なコンポーネントと、ログインしたユーザーの記憶されたユーザープロファイルに従って、該少なくとも一つの設定可能なコンポーネントを設定する制御器とを具備する眼科用装置に関する。
【背景技術】
【０００２】
眼科学の分野では、一つ以上の眼科機器が、眼球の外科処置、治療処置、及び診断処置の際に使用される。これらの機器のほとんどは、患者のために調整することができる、例えば、患者用のベッド又は椅子は上下に動かすことができるが、いくつかの機器は設定可能ではない。
【発明の概要】
【発明が解決しようとする課題】
【０００３】
本発明の実施形態は、ユーザーにとって改善された操作及び動作を提供する眼科用装置を提供することを目的とする。
【課題を解決するための手段】
【０００４】
本発明の一態様によると、眼科用装置は、患者を載置するように構成された載置部材と、載置部材に載置された患者の眼球に対して、眼球の外科処置、治療処置、及び診断処置のうち少なくとも一つを含む一つ以上の処置を施すように構成された眼科機器とを具備する。この眼科用装置は、ユーザーからログインデータを受け取るように構成されたユーザーインターフェース機器と、ログインデータに基づいた、記憶されたユーザープロファイルデータにアクセスし、アクセスされたユーザープロファイルデータに従って、上記眼科用装置の一つ以上の設定可能なコンポーネントを設定するように構成された制御器とをさらに具備する。
【０００５】
一つの実施形態において、一つ以上の設定可能なコンポーネントは、照明機器を含み、制御器は、アクセスされたユーザープロファイルデータに従って、上記照明機器によって提供される照明光の明るさを調整するように構成される。
【０００６】
一つの実施形態において、一つ以上の設定可能なコンポーネントは、一つ以上の位置可変コンポーネントを含み、制御器は、アクセスされたユーザープロファイルデータに従って、上記一つ以上の位置可変コンポーネントのうち少なくとも一つの位置を調整するように構成される。
【０００７】
上記位置は、水平位置、垂直位置、及び角度位置のうち少なくとも一つを含んでもよい。
【０００８】
一つの実施形態において、一つ以上の位置可変コンポーネントは、載置部材を含み、この載置部材は、載置部材の載置面の高さ、載置面の水平位置、及び載置面の傾きのうち少なくとも一つに関して可変である。制御器は、アクセスされたユーザープロファイルデータに従って、上記載置面の高さ、水平位置、及び傾きのうち少なくとも一つを調整するように構成されてもよい。
【０００９】
一つの実施形態において、一つ以上の位置可変コンポーネントは、眼科機器の一つ以上の位置可変部材を含み、制御器は、アクセスされたユーザープロファイルデータに従って、上記一つ以上の位置可変部材のうち少なくとも一つの位置を調整するように構成される。
【００１０】
一つの実施形態において、眼科機器は、一対の接眼レンズを有する顕微鏡を備えたものであり、一対の接眼レンズのうち少なくとも一つは、一対の接眼レンズ間の相互距離を変更するように、他方の接眼レンズに対して位置が可変である。この場合、制御器は、アクセスされたユーザープロファイルデータに従って、上記一対の接眼レンズ間の相互距離を調整するように構成されてもよい。
【００１１】
一つの実施形態において、眼科機器は、患者の眼球に向けて光学放射を放出するための放射放出ヘッドを備えたものであり、この放射放出ヘッドは、高さが可変であり、制御器は、アクセスされたユーザープロファイルデータに従って、上記放射放出ヘッドの高さを調整するように構成される。
【００１２】
一つの実施形態において、放射放出ヘッドは、載置部材の載置面に対して高さが可変であり、制御器は、アクセスされたユーザープロファイルデータに従って、載置面に対する上記放射放出ヘッドの高さを調整するように構成される。
【００１３】
本発明の別の態様によると、眼科用装置を設定する方法が開示される。この眼科用装置は、患者を載置するための載置部材と、載置部材に載置された患者の眼球に対して、眼球の外科処置、治療処置、及び診断処置のうち少なくとも一つを含む一つ以上の処置を施す眼科機器と、ユーザーインターフェース機器とを少なくとも含む。本発明の方法は、上記ユーザーインターフェース機器上でユーザーからログインデータを受け取る工程と、ログインデータに基づいた、記憶されたユーザープロファイルデータにアクセスする工程と、アクセスされたユーザープロファイルデータに従って、上記眼科用装置の一つ以上の設定可能なコンポーネントを設定する工程とを含む。
【００１４】
一つの実施形態において、一つ以上の設定可能なコンポーネントは、照明機器を含み、設定する工程は、アクセスされたユーザープロファイルデータに従って、上記照明機器によって提供される照明光の明るさを調整することを含む。
【００１５】
一つの実施形態において、一つ以上の設定可能なコンポーネントは、一つ以上の位置可変コンポーネントを含み、設定する工程は、アクセスされたユーザープロファイルデータに従って、上記一つ以上の位置可変コンポーネントのうち少なくとも一つの位置を調整することを含む。
【００１６】
一つの実施形態において、一つ以上の位置可変コンポーネントは、載置部材を含み、この載置部材は、載置部材の載置面の高さ、載置面の水平位置、及び載置面の傾きのうち少なくとも一つに関して可変である。この実施形態において、設定する工程は、アクセスされたユーザープロファイルデータに従って、上記載置面の高さ、水平位置、及び傾きのうち少なくとも一つを調整することを含んでもよい。
【００１７】
一つの実施形態において、一つ以上の位置可変コンポーネントは、眼科機器の一つ以上の位置可変部材を含み、設定する工程は、アクセスされたユーザープロファイルデータに従って、上記一つ以上の位置可変部材のうち少なくとも一つの位置を調整することを含む。
【００１８】
一つの実施形態において、眼科機器は、患者の眼球に向けて光学放射を放出するための放射放出ヘッドを備えたものであり、この放射放出ヘッドは、高さが可変である。この実施形態において、設定する工程は、アクセスされたユーザープロファイルデータに従って、上記放射放出ヘッドの高さを調整すること及び／又はアクセスされたユーザープロファイルデータに従って、載置部材の載置面に対する上記放射放出ヘッドの高さを調整することを含んでもよい。
【図面の簡単な説明】
【００１９】
以下、添付した図面を参照して、本発明の実施形態をより詳細に説明する。
【図１】本発明の一実施形態による眼科用装置の構成要素の実現可能な配置を示す側面図である。
【図２】本発明の一実施形態による眼科用装置の構成要素の更なる配置を示す上面図である。
【図３】本発明の一実施形態による眼科用装置の要素を示す概略図である。
【発明を実施するための形態】
【００２０】
眼科用装置は、眼科医によって使用される任意の医療用機器とすることができる。この装置は、患者の眼球に対して、眼球の外科処置、治療処置、及び診断処置等の一つ以上の処置を施すことを可能にする。眼科機器は、例えば、人間の眼球を検査する顕微鏡又はその他の光学部品、あるいは、ＬＡＳＩＫ（レーザー角膜切削形成術）治療に用いることができる、レーザー光源、集束光学部品、スキャン用コンポーネント等を含むレーザー機器を含む。このようなレーザー機器は、フェムト秒、ピコ秒、又はアト秒レーザー、あるいはエキシマレーザーを含んでもよい。
【００２１】
従来の眼科用装置は、背の高い人間（例えば、眼科医）が、処置全体の間、眼科用装置に立つ際に無理な姿勢をとらされるという欠点を有し得る。また、背の低い人間は、眼科用装置を動作させる際に困難を感じる可能性がある。
【００２２】
図１には、本発明の実施形態による眼科用装置１００の配置の一例が示される。眼科用装置１００は、装置１００の特定のユーザーの要求や好みに装置１００の設定を調整することを可能にする一組の一つ以上の設定可能なコンポーネントを含む。
【００２３】
一つの実施形態によると、一組の設定可能なコンポーネントは、外科処置／診断処置／治療処置を受ける眼球の手術部位又は検査部位に照明を提供するための少なくとも一つの照明機器（不図示）を含む。照明機器は、例えば、天井取り付け型ランプ、壁取り付け型ランプ、又は装置１００の基部に支えられたランプを含んでもよい。
【００２４】
照明機器によって提供される照明光の明るさは調整可能である。この明るさが調整可能であることにより、眼科用装置のユーザー、例えば眼科医は、眼球の外科処置、治療処置、及び診断処置の各段階をよく見ることができる。
【００２５】
いくつかの実施形態において、一組の設定可能なコンポーネントは、一つ以上の位置可変コンポーネントを含んでもよい。各位置可変コンポーネントの位置は、任意の方向及び次元において調整可能である。すなわち、位置可変コンポーネントを、任意の水平位置、垂直位置、及び／又は角度位置に導くことができる。眼科用装置１００の位置可変コンポーネントの調整は、対応する両方向矢印によって、図１に図示される。この調整は、手動で行われるか、あるいは制御されることができる。制御された調整を行うために、位置可変コンポーネントは、モーター又はサーボ等のアクチュエータを含む。
【００２６】
設定可能なコンポーネントの一例は、眼科機器１１０である。眼科機器１１０は、可動アーム１１２等の設定可能なコンポーネント又は位置可変コンポーネントに取り付けられる。このアーム１１２によって、眼科機器１１０をＸ、Ｙ、及びＺ方向のいずれの方向にも動かすことが可能になる。少なくともＺ方向における移動は、眼科機器の集束光学部品を患者の眼球に導くために必要である。図１は、対応する両方向矢印を示すことによって、Ｘ及びＺ方向における移動を図示している。
【００２７】
アーム１１２は、位置可変部材、例えばアーム１１２ａ及び基部アーム１１２ｂをさらに含むこともできる。これらのアームは、眼科機器１１０を上下に、すなわちＺ軸に調整すること、また同様に、眼科機器１１０を左右に、すなわちＸ及びＹ軸に調整することを可能にする。これによって、患者及び／又は眼科医に対して眼科機器１１０の位置を調整するための大きな柔軟性が提供される。
【００２８】
図１には示されていないが、眼科機器１１０、並びに対応するアーム１１２ａ及び１１２ｂの位置の調整は、水圧ピストン又はねじ付きスピンドル等の適切な機構によって達成させることができる。これらの各調整機構は、手動で又は自動で動かすことができる。自動で動かすために、モーター又はサーボ等の対応するアクチュエータは、コンポーネント内に統合される。
【００２９】
別の設定可能なコンポーネントは、アーム１１２が取り付けられるスタンドである。アーム１１２及びスタンド１１６は、回転可能に連結させることができ、その結果、アーム及び眼科機器１１０は旋回可能となる。これによって、スタンド１１６を軸として眼科機器１１０の角度位置を調整することが可能になる。
【００３０】
眼科機器１１０自体が、設定可能なコンポーネント又は設定可能な部材を含むこともできる。このようなコンポーネント又は部材は、眼科医が患者の眼球を検査することを可能にする、あるいは患者の眼球にレーザー手術を施すことを可能にする、一対の接眼レンズ１１４を有する顕微鏡機器又は顕微鏡１１３を含む。顕微鏡機器１１３は、ズーム倍率及び／又は焦点合わせを調整することができるといった点で設定可能である。別の設定可能な部材はレンズである。一つより多いレンズが存在する場合、手動で又は自動で、例えばレンズが取り付けられた板を回転させることによって、これらのレンズを変更することができる。
【００３１】
一対の接眼レンズ１１４のうち少なくとも一つは、該一対の接眼レンズ間の相互距離を変更するように、他方の接眼レンズに対して位置が可変である。図１に示されるように、少なくとも一つの接眼レンズ１１４は、Ｘ方向に調整可能である。接眼レンズ１１４のこの調整によって、外科医等の操作者の眼球間の距離に眼科機器１１０を適合させることが可能になる。
【００３２】
眼科機器１１０の更なる設定可能な部材は、患者の眼球に向けて光学放射を放出するための放射放出ヘッド１１８である。放射放出ヘッド１１８は、高さが可変である。すなわち、該ヘッドの垂直位置を調整することができる。この垂直方向の調整は、所定の座標系内で、あるいは、載置部材１２０の載置面など、別の設定可能なコンポーネント又は部材に対して相対的に行うことができる。
【００３３】
代替的な構成において、眼科機器１１０は、床に置かれたスタンド１１６に取り付けられていなくてもよく、手術室の壁又は天井に取り付けられてもよい。この取り付けも、回転可能な連結によって達成させることができる。
【００３４】
また、眼科機器１１０を保持するアーム１１２は、異なる構造を有していてもよく、例えば、眼科機器１１０の位置の調整の柔軟性を上げるために、より多くの連結部と各アーム部分（１１２ａ、１１２ｂ）を有していてもよい。
【００３５】
また、眼科用装置は、患者を載置するための載置部材１２０を具備する。この載置部材は、載置部材の載置面の高さ、載置面の水平位置、及び載置面の傾きのうち少なくとも一つに関して可変であり、制御器は、アクセスされたユーザープロファイルデータに従って、上記載置面の高さ、水平位置、及び傾きのうち少なくとも一つを調整するように構成される。
【００３６】
このような載置部材１２０として、眼科処置又は治療の間、患者を載置する、例えば患者が座る、あるいは横たわるための椅子、ベッド、又は検査台１２０を挙げることができる。載置部材１２０の位置は、上下に、すなわちＺ方向に調整可能である。この調整は、手動で行うことで、あるいは、載置部材１２０の下に設置されたモーター駆動型のはさみ式機構１２４によって達成させることができる。尚、本発明は、はさみ式機構１２４に限定されるものではない。載置部材の調整は、水圧又は空圧システム、ねじ付きスピンドルシステム、リテーナキー技術、又は滑車構造によって達成させることもできる。
【００３７】
載置部材１２０は、患者の頭を載置するヘッド部１２２を提供することもできる。ヘッド部１２２は、載置部材１２０の主部に対して調整可能である。ヘッド部は、傾きを変えることによって、例えば、主部に対してヘッド部１２２を回転させることによって、調整することができる。
【００３８】
次に、図２を参照して、図１に示されるものと類似の配置の上面図を示す。図２に示される眼科用装置は、更なる設定可能なコンポーネントを含む。
【００３９】
これらは、付加的な眼科機器２１０であって、別のレーザー機器もしくは眼球検査機器、又は診断機器等とすることができる。眼科機器２１０も、眼科機器１１０に関して上述したのと同様の方式（図１）で、アーム２１２ａ及び２１２ｂを介してスタンド２１６に取り付けることができる。眼科機器２１０は、壁又は天井に取り付けることもでき、また同時に、機器２１０を保持する構造２１２は、任意の数のアーム、結合部、又はその他の構造の要素を含むこともできる。さらに、眼科機器２１０は、操作者の眼球間の距離に応じて調整可能な２つの接眼レンズ２１４等の位置可変コンポーネントを含むこともできる。すなわち、接眼レンズ２１４を、図示されるＸ方向に調整することができる。
【００４０】
図２において両方向矢印によって示されるように、各眼科機器１１０及び２１０を、Ｙ方向とＸ方向に調整することができる。この調整は、スタンドに対するアーム１１２及び２１２の円運動による、各アーム１１２及び２１２の角度位置の調整を含んでもよい。このように、眼科機器１１０及び２１０を載置部材１２０の上方の任意の位置に導くことができる。
【００４１】
患者が容易に載置部材１２０に乗れるようにするために、眼科機器１１０及び／又は２１０を載置部材１２０から離れるように動かすことができる。これに代わって、両方向矢印によって示されるように、載置部材１２０をＸ及びＹ方向に調整することができる。このようにして、載置部材の上方の空間は、眼科機器１１０及び２１０、又はアーム１１２及び２１２等の別のコンポーネントによって塞がれることはない。
【００４２】
ＬＡＳＩＫ治療等のいくつかの眼球治療は、患者が２つの異なる機器によって、連続して処置されることを必要とする可能性がある。そのため、患者は、一方の載置部材から立ち上がり、第２の眼科機器に関連付けられたもう一方の載置部材へと移動しなくてはならない。本開示によると、載置部材１２０をＸ及びＹ方向に調整することができるため、次の眼科機器に移動する間、患者は載置部材にとどまることができる。
【００４３】
眼科用装置は、眼科医用の椅子又はスタンド２２０をさらに含んでもよい。このコンポーネント２２０は、各方向（すなわち、Ｘ、Ｙ及びＺ方向）に調整可能である。この調整は、水圧／空圧機構、ねじ付きスピンドル機構等、載置部材１２０に関して上述したものと同様の技術によって達成させることができる。
【００４４】
操作者用の椅子２２０の調整は、載置部材１２０上の患者、及び／又は、各眼科機器２１０及び２２０の接眼レンズ１１４及び２１４に対して、操作者が最も快適な位置をとることができるという点で有利である。
【００４５】
次に、本発明による眼科用装置を概略的に示す図３を参照する。
【００４６】
図１及び図２に関して上述したように、眼科用装置１００は、複数の設定可能なコンポーネント３１０−１、３１０−２〜３１０−ｎ（コンポーネント３１０とも呼ぶ）を含む。各コンポーネント３１０は、上述された設定可能なコンポーネントのうちの一つを示す。例えば、コンポーネント３１０−２が載置部材１２０を示す一方で、コンポーネント３１０−１を眼科機器１１０とすることができる。当業者によって理解されるように、これらのコンポーネントの指定は単なる例示にすぎない。別の例では、コンポーネント３１０−２は、アーム１１２ａ及び１１２ｂのうちの一方を示していてもよい。
【００４７】
図３を再度参照するが、眼科用装置１００は、メモリ３２０、制御器３３０、及びユーザーインターフェース機器３４０を具備する。
【００４８】
制御器３３０は、眼科用装置１００の操作者からのログインデータを要求するように構成される。このログインデータの要求は、スクリーン、キーボード、マウス、タッチスクリーン、タッチパッド、スマートカードリーダ、又は指紋スキャナ等のユーザーインターフェース機器３４０あるいは入力／出力（Ｉ／Ｏ）インターフェース３４０を用いることによって達成されることができる。
【００４９】
次いでユーザーは、例えば、ユーザー名やユーザー識別子を、また任意にパスワードを提供することによって、眼科用装置の制御器にログインする。ユーザー識別の別の様式は、ユーザー識別データを安全なフォーマットで記憶しているスマートカード、又は生体スキャン（例えば、指紋スキャン）によって行うことができる。
【００５０】
ユーザーによりログインデータが提供された後、制御器３３０は、その特定のユーザーに関して、ユーザープロファイルがメモリ３２０に記憶されているか否かを決定する。従って、制御器３３０は、メモリ３２０内の対応するユーザープロファイルを検索する。これは、入力されたログインデータからユーザー名、ユーザー識別子、又はその他のユーザーの識別子を抜き出し、抜き出した識別子をメモリ３２０に記憶されたユーザープロファイルの対応する識別子と比較することによって達成することができる。
【００５１】
適合したユーザープロファイルが見つかった場合、制御器は、ユーザープロファイルデータにアクセスし、メモリ３２０から該データを取得する。このようなユーザープロファイルデータは、識別されたユーザー特有の設定データを含む。この設定データは、後でより詳細に説明するように、各ユーザーにカスタマイズされた設定可能なコンポーネントに関する調整パラメータと値のセットを表す。設定データは、例えば、設定可能なコンポーネントに関する設定オプション及び対応するパラメータ値から構成される。
【００５２】
検索されたログインデータに関して、メモリ３２０内に記憶されたユーザープロファイルが存在しない場合、制御器は、例えば、Ｉ／Ｏインターフェース３４０を介して、ユーザーが新しいユーザープロファイルを作成することを望むか否かというメッセージをユーザーに提供する。新しいプロファイルを作成し、メモリ３２０に記憶する場合、メモリ３２０又は別の不揮発性の記憶装置（不図示）から初期設定が取得される。
【００５３】
眼科用装置１００の各操作者（ユーザー）に関連付けられた一つ以上のユーザープロファイルを記憶する記憶装置によって、眼科用装置の各設定可能なコンポーネントのカスタマイズが可能になる。例えば、複数の人間が眼科用装置を使う診療所、病院、又は医療現場に眼科用装置を設置する場合、眼科用装置の各ユーザー又は操作者のユーザープロファイルは、メモリ３２０に記憶させることができる。このユーザープロファイルは、ユーザーの名前又は識別子、また任意のパスワード等のログインデータによって識別されてもよい。
【００５４】
各ユーザープロファイルの設定データは、データセットに相当する。設定データは、設定可能なコンポーネントの特定の設定オプションに関する一つ以上のパラメータと値のセットから構成されてもよい。
【００５５】
パラメータは、設定可能なコンポーネント３１０のうちの一つに関する設定オプションを表していてもよい。設定オプション又はパラメータは、Ｘ−Ｙ−Ｚ空間における、又は別の座標系におけるコンポーネントの位置又はコンポーネントの高さであってもよい。コンポーネントの位置及び高さは、特定の点の位置、例えば、Ｘ−Ｙ−Ｚ空間における、又は別の座標系におけるコンポーネントの表面上の一点の位置を示していてもよい。従って、設定オプションは、３方向（軸）のうちの一つを示していてもよい。この場合、対応するパラメータ値は、例えば、Ｘ−Ｙ−Ｚ空間内の座標である。
【００５６】
これに代わって、コンポーネント３１０は、特定の基準点の位置又は０位置を有していてもよい。３方向それぞれに関するパラメータ値は、この０位置からのオフセットであってもよい。例えば、パラメータ値は、０位置からのオフセット距離が−２、−１、０、＋１又は＋２（ｃｍ又はｍｍ）である値であってもよい。当然のことながら、別の任意の数を有する異なるオフセット、及びこれらの距離の単位が異なるものもまた、実現可能なパラメータ値であり、本発明の範囲に該当する。
【００５７】
これに代わって、又はこれに加えて、パラメータ値は、別のコンポーネント３１０との相対距離を表していてもよい。例えば、パラメータは、顕微鏡の２つの接眼レンズ間の相互距離を表していてもよい。別のパラメータは、眼科機器１１０、２１０と載置部材１２０の載置面との間の相互距離を表していてもよい。これによって、載置部材が調整された場合、眼科機器１１０、２１０もそれ相当に調整される。
【００５８】
コンポーネント３１０に応じて、特定の線又は面に対するコンポーネントの角度、光学部品の焦点又はズーム、レーザー機器の電力強度、及び／又は照明機器の明るさを、設定オプションとすることもできる。
【００５９】
コンポーネント３１０が、載置部材１２０又は操作者用の椅子もしくはスタンド２２０である場合、一つのパラメータは、高さの設定、すなわち、Ｚ方向における載置面又は座面の位置の設定を表していてもよい。
【００６０】
本発明による更なるコンポーネントは、眼科用装置１００のグラフィカルユーザーインターフェースを含む。例えば、スクリーン上のウィンドウ、アプリケーション、又はプログラムの配置、リストの図示、マスク又は別の表示された情報、特定の患者の情報、システム又はコンポーネントの状態などが、設定可能なコンポーネントとしてみなされ得る。本発明による装置１００は、これらのコンポーネントのパラメータを記憶して、ログインした各ユーザーのためにグラフィカルインターフェースをカスタマイズすることもできる。このように、特定のユーザーのための各コンポーネントのパラメータ値、すなわち設定データは、眼科用装置１００のメモリ３２０に記憶させることができる。制御器３３０は、メモリ３２０内の設定データのパラメータ値にアクセスして、又はメモリ３２０から該パラメータ値を取得して、それに従ってコンポーネント３１０を設定する。設定データを任意に処理した後、制御器３３０は、水平位置、垂直位置、又は角度位置、高さ、傾き、距離、光学的要素、電力値、あるいは明るさを調整するために、各コンポーネント３１０−１、３１０−２等に制御信号を送る。各コンポーネント３１０は、この制御信号を受け取るインターフェース（不図示）を含むことができる。対応するアクチュエータ又はその他の調整機構は、制御器３３０からの制御信号に対応して、コンポーネントを調整する。
【００６１】
このようにして、本発明の眼科用装置は、複数の操作者によって使用されることができる。操作者がシステムにログインする度に、眼科用装置１００の制御器３３０は、ログインした操作者に適した形で、全てのコンポーネントを自動で調整する。これにより、眼科用装置１００は完全にカスタマイズ可能となる。
【００６２】
一つの例にすぎないが、ユーザーが、Ｘ−Ｙ−Ｚ空間内で検査台１２０と眼科機器１１０の所定の位置を記憶したい場合、メモリ３２０は、６つのパラメータ値、すなわち各コンポーネントの３つの座標値を各ユーザーのユーザープロファイルと共に記憶する。所定の位置を得るために更なるコンポーネント（例えばアーム１１２ａ、１１２ｂ等）が必要である場合は、パラメータの数が増える。しかしながら、既に上述したように、本発明は座標値に限定されるものではない。パラメータが座標値に関連せず、設定可能なコンポーネントのオフセット値に関連する場合、メモリ３２０は、オフセット値、すなわち、０ではない、設定オプションに関するパラメータ値を記憶するだけでよい。つまり、特定の設定可能なコンポーネントが、０位置から５ｃｍオフセットされるだけであれば、特定のコンポーネントに関する対応する方向（軸）へのオフセット値を、対応するユーザープロファイルと共に、メモリ３２０に記憶するだけで十分である。
【００６３】
本発明によれば、操作者は、各コンポーネントを別々に調整する負担から開放されるため、より快適な位置及びより慣れた環境で作業することができる。このように、本発明による眼科用装置は、ログイン手順を提供し、その後、各設定可能なコンポーネントを、ログインした操作者にとって快適であり、各設定可能なコンポーネントが各操作者の要求を満たす設定にすることができる。
【図１】
2015527913.tif 000003
【図２】
2015527913.tif 000004
【図３】
2015527913.tif 000005
【国際調査報告】
2015527913.tif 000006